(57)【要約】【課題】電子カルテ端末上で、必要に応じて所望の画像処理が施された医用画像を参照できるようにする電子カルテ端末、画像サーバ及び医用画像システムを提供する。【解決手段】電子カルテ端末４０は、Ｗｅｂを介して画像特定条件及び画像処理条件を含む要求情報を画像サーバ１０へ送信する。画像サーバ１０は、受け取った要求情報に基づきＤＩＣＯＭ画像から新たな処理済画像を作成する。そして、電子カルテ端末４０は、処理済画像を受信して表示する。【選択図】図１
2008269241.tif 000002
【特許請求の範囲】
【請求項１】
医用画像を保存する画像サーバから医用画像を取得して表示するとともに、電子カルテを作成する電子カルテ端末であって、
医用画像を特定する画像特定条件と、医用画像の画像処理条件とを指示入力するための入力手段と、
前記入力された画像特定条件及び画像処理条件に基づき、前記画像特定条件により特定される医用画像に対して前記画像処理条件による画像処理を施した処理済画像の作成を要求する要求情報を生成する情報制御手段と、
前記生成された要求情報を前記画像サーバに送信するとともに、前記画像サーバから前記処理済画像を受信する通信手段と、
前記通信手段により受信した処理済画像を、前記電子カルテの内容を示す文字情報とともに表示する表示手段と、
を備える電子カルテ端末。
【請求項２】
前記情報制御手段は、前記画像特定条件及び前記画像処理条件を、特定及び画像処理する対象となる医用画像の保存場所を示すＵＲＬに付加させて要求する要求情報を生成し、
前記通信手段は、Ｗｅｂ対応の通信プロトコルにより前記要求情報を送信し、前記処理済画像を受信する電子カルテ端末。
【請求項３】
医用画像を保存して電子カルテ端末に当該医用画像を提供する画像サーバにおいて、
画像特定条件及び画像処理条件を含む要求情報に応じて、当該画像特定条件により特定した医用画像に当該画像処理条件による画像処理を施した処理済画像を作成する画像制御手段と、
前記電子カルテ端末から要求情報を受信し、前記処理済画像を前記電子カルテ端末に送信する通信手段と、
を備える画像サーバ。
【請求項４】
前記画像制御手段は、特定及び画像処理される対象となる医用画像の保存場所を示すＵＲＬに前記画像特定条件及び前記画像処理条件が付加された要求情報に応じて、前記処理済画像を作成し、
前記通信手段は、Ｗｅｂ対応の通信プロトコルにより前記要求情報を受信し、前記処理済画像を送信する画像サーバ。
【請求項５】
医用画像を保存する画像サーバと、前記画像サーバから医用画像を取得して表示するとともに電子カルテの作成を行う電子カルテ端末と、を含む医用画像システムにおいて、
前記電子カルテ端末は、
医用画像を特定する画像特定条件と、医用画像の画像処理条件とを指示入力するための入力手段と、
前記入力された画像特定条件及び画像処理条件に基づき、前記画像特定条件により特定される医用画像に対して前記画像処理条件による画像処理を施した処理済画像の作成を要求する、要求情報を生成する情報制御手段と、
前記生成された要求情報を前記画像サーバに送信するとともに、前記画像サーバから前記処理済画像を受信する通信手段と、
前記通信手段により受信した処理済画像を、前記電子カルテの内容を示す文字情報とともに表示する表示手段と、
を備え、
前記画像サーバは、
画像特定条件及び画像処理条件を含む要求情報に応じて、当該画像特定条件により特定した医用画像に当該画像処理条件による画像処理を施した処理済画像を作成する画像制御手段と、
前記電子カルテ端末から要求情報を受信し、前記処理済画像を前記電子カルテ端末に送信する通信手段と、
を備える医用画像システム。
【発明の詳細な説明】
【技術分野】
【０００１】
本発明は、電子カルテ端末、画像サーバ及び医用画像システムに関する。
【背景技術】
【０００２】
近年、多くの医療機関において医療情報の電子化が図られている。その一例として、医用画像システムが挙げられる。医用画像システムは、大別して電子カルテ端末と、この電子カルテ端末と通信回線を介して接続された画像サーバとで構成される。電子カルテ端末は、カルテ作成者（主に参照医）自身による入力／操作機能、データ／画像等の表示機能を有する。また、画像サーバは、放射線部門等で得られた医用画像や読影レポート等を電子データで保存、管理を行う。
このような医用画像システムによれば、カルテ作成者は画像サーバに保存された医用画像や読影レポート等を電子カルテ端末で取得して直接的に参照することが可能となる。
【０００３】
ところで、電子カルテ端末は電子カルテの作成、診察結果の閲覧等の利用に供されるため、主として文字情報を取り扱うこととなる。このことから、電子カルテ端末は読影医が使用する読影端末のような高度な画像処理機能等を備えていないのが一般的であり、また費用対効果を考慮すれば高度な機能を備える必要はない。よって、電子カルテ端末に提供される医用画像は簡易な参照用としてあれば足り、ＪＰＥＧやＰＤＦ等のデータに変換、圧縮及び画像処理された医用画像（以下、「処理済画像」という）がＨＴＴＰ等の汎用通信規格により提供されればよいこととなる。
【０００４】
このような医用画像システムには、例えば特許文献１に、広域での利用を目的としたＷｅｂ対応の電子カルテシステムとして開示されている。
ここで、図６を参照して、Ｗｅｂ対応の医用画像システムが取り扱うデータ形式について説明する。まず、モダリティ３０がＤＩＣＯＭ規格の医用画像（以下、ＤＩＣＯＭ画像という）を生成し、必要に応じて当該医用画像を画像サーバ１０へ送信する。そして、画像サーバ１０はこのＤＩＯＣＭ画像を保存する。図６に示すように、モダリティ３０と画像サーバ１０との間で送受信される医用画像の画像データは、ビットマップ画像やＪＰＥＧ画像等の違いはあるものの、これらの画像データにＤＩＣＯＭ規格の付帯情報を付帯させたＤＩＣＯＭ画像であることには変わりがない。
【０００５】
一方、画像サーバ１０と電子カルテ端末４０との間では、ＤＩＣＯＭ画像から付帯情報を除いて圧縮等させた処理済画像が取り扱われる。なお、画像サーバ１０は、電子カルテ端末４０の処理済画像の要求指示に対応できるよう、予め処理済画像を作成して保存しておくこととなる。これにより、参照医は簡易な参照用の処理済画像をＷｅｂ対応の汎用通信を介して電子カルテ端末４０で閲覧することが可能となる。
【特許文献１】特開平１０−７９７７０号公報
【発明の開示】
【発明が解決しようとする課題】
【０００６】
しかし、特許文献１のような電子カルテシステムでは、電子カルテ端末４０で受け取ることができる処理済画像はＤＩＣＯＭ画像に所定の画像処理を施して圧縮等したものであり、出来合いの医用画像である。従って、参照医が参照に適した処理済画像とするため市販の画像処理ソフト等を用い、この処理済画像を更に画像処理してもより閲覧に不向きなものとなってしまう。また、処理済画像が、例えばＰＤＦであれば簡易な画像処理すらできない。更に、上述したが、処理済画像はＤＩＣＯＭ画像と異なり付帯情報が除かれているため、参照医は処理済画像から、例えば患者情報や検査情報等を把握することができない。
【０００７】
また、図６で示すように、画像サーバ１０は電子カルテ端末４０用の処理済画像を予め保存しておく必要がある。しかし、電子カルテ端末４０では主として文字情報を取り扱うものであり、医用画像は付随的な資料として用いるものである。よって、画像サーバ１０に予め保存される大量の処理済画像は必要とされる場合もあるが参照されずに不要に保存されている場合もある。このことから、画像サーバ１０の記憶容量の有効利用がなされているとはいい難い。
【０００８】
本発明の課題は、電子カルテ端末上で、必要に応じて所望の画像処理が施された医用画像を参照できるようにする電子カルテ端末、画像サーバ及び医用画像システムを提供することである。
【課題を解決するための手段】
【０００９】
請求項１に記載の発明によれば、
医用画像を保存する画像サーバから医用画像を取得して表示するとともに、電子カルテを作成する電子カルテ端末であって、
医用画像を特定する画像特定条件と、医用画像の画像処理条件とを指示入力するための入力手段と、
前記入力された画像特定条件及び画像処理条件に基づき、前記画像特定条件により特定される医用画像に対して前記画像処理条件による画像処理を施した処理済画像の作成を要求する要求情報を生成する情報制御手段と、
前記生成された要求情報を前記画像サーバに送信するとともに、前記画像サーバから前記処理済画像を受信する通信手段と、
前記通信手段により受信した処理済画像を、前記電子カルテの内容を示す文字情報とともに表示する表示手段と、
を備える電子カルテ端末が提供される。
【００１０】
請求項２に記載の発明によれば、請求項１の発明において、
前記情報制御手段は、前記画像特定条件及び前記画像処理条件を、特定及び画像処理する対象となる医用画像の保存場所を示すＵＲＬに付加させて要求する要求情報を生成し、
前記通信手段は、Ｗｅｂ対応の通信プロトコルにより前記要求情報を送信し、前記処理済画像を受信する電子カルテ端末が提供される。
【００１１】
請求項３に記載の発明によれば、
医用画像を保存して電子カルテ端末に当該医用画像を提供する画像サーバにおいて、
画像特定条件及び画像処理条件を含む要求情報に応じて、当該画像特定条件により特定した医用画像に当該画像処理条件による画像処理を施した処理済画像を作成する画像制御手段と、
前記電子カルテ端末から要求情報を受信し、前記処理済画像を前記電子カルテ端末に送信する通信手段と、
を備える画像サーバが提供される。
【００１２】
請求項４に記載の発明によれば、請求項３に記載の発明において、
前記画像制御手段は、特定及び画像処理される対象となる医用画像の保存場所を示すＵＲＬに前記画像特定条件及び前記画像処理条件が付加された要求情報に応じて、前記処理済画像を作成し、
前記通信手段は、Ｗｅｂ対応の通信プロトコルにより前記要求情報を受信し、前記処理済画像を送信する画像サーバが提供される。
【００１３】
請求項５に記載の発明によれば、
医用画像を保存する画像サーバと、前記画像サーバから医用画像を取得して表示するとともに電子カルテの作成を行う電子カルテ端末と、を含む医用画像システムにおいて、
前記電子カルテ端末は、
医用画像を特定する画像特定条件と、医用画像の画像処理条件とを指示入力するための入力手段と、
前記入力された画像特定条件及び画像処理条件に基づき、前記画像特定条件により特定される医用画像に対して前記画像処理条件による画像処理を施した処理済画像の作成を要求する、要求情報を生成する情報制御手段と、
前記生成された要求情報を前記画像サーバに送信するとともに、前記画像サーバから前記処理済画像を受信する通信手段と、
前記通信手段により受信した処理済画像を、前記電子カルテの内容を示す文字情報とともに表示する表示手段と、
を備え、
前記画像サーバは、
画像特定条件及び画像処理条件を含む要求情報に応じて、当該画像特定条件により特定した医用画像に当該画像処理条件による画像処理を施した処理済画像を作成する画像制御手段と、
前記電子カルテ端末から要求情報を受信し、前記処理済画像を前記電子カルテ端末に送信する通信手段と、
を備える医用画像システムが提供される。  
【発明の効果】
【００１４】
請求項１、２に記載の発明によれば、
電子カルテ端末は、画像サーバに対して当該画像サーバが保存する大量の医用画像のうち、一の医用画像を特定させる。そして、特定させた医用画像について任意の画像処理を施した処理済画像を作成させることができる。これにより、電子カルテ端末では高度な画像処理機能を備えずとも、参照医の好みに応じた画像処理を行うことができる。
【００１５】
請求項３、４に記載の発明によれば、
画像サーバは、電子カルテ端末から処理済画像を作成する旨の要求情報を受けた場合に限り、当該作成指示に従って必要な処理済画像を作成する。これにより、不要な処理済画像を予め作成して長期間保存する必要がなくなり、画像サーバ内の記憶容量を有効に活用することができる。
【００１６】
請求項５に記載の発明によれば、
電子カルテ端末は、高度な画像処理機能等の特殊機能を備えずとも、画像サーバの処理済画像の作成機能により、当該特殊機能を備えた端末と同様の処理を行うことができる。これにより、システムの構築には、複数の電子カルテ端末を新規なものすることなく上記機能を有した画像サーバを新たに備えるだけでよい。よって、安価なコストで所望のシステム構築を図ることができる。
【発明を実施するための最良の形態】
【００１７】
以下、本発明に係る電子カルテ端末、画像サーバ及び電子カルテシステムについて最適な実施形態の構成及び動作について図面を用いて詳細に説明する。
【００１８】
まず、図１に本実施の形態における医用画像システム１を示す。
医用画像システム１は、画像サーバ１０と、読影端末２０、モダリティ３０とがネットワークＮ１を介して接続された第１のシステムと、画像サーバ１０と、電子カルテ端末４０とがネットワークＮ２を介して接続された第２のシステムを含んでいる。第１のシステムは医用画像の読影を主に行う読影医によって利用され、第２のシステムは読影結果を用いて診察を行う参照医によって利用される。
【００１９】
まず、第１のシステムについて説明する。
画像サーバ１０は、モダリティ３０において撮影により生成された撮影画像からＤＩＣＯＭ画像を生成し、これを保存、管理するものである。また、読影端末２０において生成された読影レポートも同様に保存する。
【００２０】
図２に、画像サーバ１０の構成を示す。
図２に示すように、画像サーバ１０は、制御部１１、通信部１２、記憶部１３、保存用メモリ１４を備えて構成されている。
【００２１】
制御部１１は、記憶部１３に記憶されている制御プログラムとの協働により、各部の集中制御、各種演算を行う。
制御部１１は、電子カルテ端末４０から送信されるオーダ情報を用いて医用画像の一元管理を行う。オーダ情報とは、医用画像の撮影から生成、読影に至るまでの一連の処理、作業に関しての要求情報をいい、例えば医用画像を撮影する患者や医用画像の読影を担当する医師等を指定する要求情報を含む。
【００２２】
通信部１２は、通信用のインターフェイスを備え、ネットワークＮ１、Ｎ２上の各装置と通信を行う。なお、読影端末２０に医用画像を配信する際にはＤＩＣＯＭによる通信プロトコルを採用し、電子カルテ端末４０に医用画像等を配信する際にはＨＴＴＰ等の汎用のＷｅｂ通信用のプロトコルを採用する。これにより、本実施形態における電子カルテ端末４０はＤＩＣＯＭ対応の端末である必要がなく、一般ＰＣ（Personal Computer）等で適用可能となるため、コスト削減を図ることができる。
【００２３】
記憶部１３は、制御プログラム、当該プログラムの実行に必要なパラメータやファイル等を記憶している。
保存用メモリ１４は、大容量メモリからなり、医用画像の他、読影レポートを記憶している。
【００２４】
読影端末２０は、読影医の読影に供するため医用画像を表示するものであり、高度な画像処理機能を備え高精細に表示する。読影端末２０としては、医用画像の閲覧用ソフトウェアを組み込んだＰＣ等が挙げられる。すなわち、読影端末２０は、制御部、操作部、表示部、通信部、記憶部等を備えて構成されている。
【００２５】
また、読影端末２０は、読影レポート作成機能を有している。読影時には、画像サーバ１０から取得した医用画像を表示させるだけでなく、読影レポートの作成画面を表示させ、当該作成画面において入力された情報を読影レポートとする。
【００２６】
モダリティ３０は、検査撮影により撮影画像を生成するものである。モダリティ３０としては、例えばＣＲ（Computed Radiography）装置やＭＲＩ（Magnetic Resonance Imaging）装置、ＣＴ（Computed Tomography）装置等が挙げられる。
【００２７】
次に、第２のシステムについて説明する。
第２のシステムでは、画像サーバ１０が保存している医用画像、読影レポートを電子カルテ端末４０に提供する。
【００２８】
電子カルテ端末４０は、電子カルテを作成する電子カルテ機能を有し、併せて参照医の診察に供するため医用画像、読影レポートの表示を行う。また、電子カルテ端末４０では、医用画像に関するオーダ情報を生成し、これを画像サーバ１０に送信することで医用画像の撮影条件や読影条件等を指定することが可能な構成となっている。
【００２９】
図３に、電子カルテ端末４０の構成を示す。
図３に示すように、電子カルテ端末４０は、制御部４１、入力部４２、表示部４３、通信部４４、記憶部４５、参照用メモリ４６を備えて構成されている。
【００３０】
制御部４１は、ＣＰＵ、ＲＡＭ等から構成され、記憶部４５に記憶されている電子カルテ作成用の制御プログラム等のプログラムとの協働により、各部の集中制御、各種演算を行う。例えば、制御部４１は電子カルテプログラムとの協働により電子カルテの作成処理を行う。また、画像処理プログラムとの協働により医用画像に各種画像処理を施す。
【００３１】
入力部４２は、マウスやキーボード等を備えて構成され、これらの入力操作に応じた入力信号を生成して制御部４１に出力する。
表示部４３は、ディスプレイを備え、制御部４１の制御に従って当該ディスプレイ上に医用画像の表示画面や電子カルテの作成画面等の各種操作画面を表示する。
【００３２】
通信部４４は、通信用のインターフェイスを備え、ネットワークＮ１上の画像サーバ１０等と通信を行う。
記憶部４５は、上記制御プログラムやその実行に必要なパラメータやファイル等を記憶している。
【００３３】
参照用メモリ４６は、参照用に取得した医用画像や読影レポート、作成した電子カルテ等を記憶するためのメモリである。なお、これらの情報を画像サーバ１０の保存用メモリ１４へ保存させることとしてもよい。
【００３４】
次に、本実施形態に係る電子カルテ端末４０と画像サーバ１０の動作について説明する。
図４は、医用画像システム１の電子カルテ端末４０と画像サーバ１０とで行われる処理の流れを説明するフローチャートである。
【００３５】
まず、電子カルテ端末４０において、制御部４１は電子カルテプログラムを起動して電子カルテの作成画面を表示部４３上に表示させる。そして、この作成画面において操作者によりカルテの閲覧対象となる患者の選択が行われると、制御部４１は当該患者についての電子カルテ閲覧画面を表示させる（ステップＳ１）。
【００３６】
図５に、電子カルテ閲覧画面の一例を示す。
図５に示すように、電子カルテ閲覧画面ｄ１００はカルテ情報部ｄ１１と画像情報部ｄ１２で構成されている。また、当該閲覧画面上に表示されている全ての情報を保存する保存ボタンｄ１３が表示される。
【００３７】
カルテ情報部ｄ１１は、カルテ情報を表示するために用いられ、患者情報部ｄ１１１と経過観察部ｄ１１２で構成される。患者情報部ｄ１１１には、保険証情報や患者情報（例えば、患者氏名、患者ＩＤ）等が表示される。また、経過観察部ｄ１１２には、患者のこれまでの診察結果や今後の治療計画等が表示される。
【００３８】
画像情報部ｄ１２は、画像表示部ｄ１２１、画像特定条件入力ツールｄ１２２、画像処理条件入力ツールｄ１２３及び付帯情報表示部ｄ１２４で構成される。
画像表示部ｄ１２１には、カルテの閲覧対象となっている患者の医用画像が表示される。
画像特定条件入力ツールｄ１２２には、画像特定条件を入力するための入力スペースが表示される。画像特定条件は、例えば患者名や患者ＩＤ、その他オーダ番号や検査インスタンスＵＩＤ等、医用画像を特定する固有の情報であればよい。ここで入力された画像特定条件に基づき、画像表示部ｄ１２１に処理済画像が表示される。
画像処理条件入力ツールｄ１２３には、表示させる処理済画像について画像処理条件を更に入力指定するための入力又は選択スペースが表示される。画像処理条件は、例えば階調処理やファイル形式の変更等、ＤＩＣＯＭ画像を変更、圧縮等の処理を施して処理済画像を作成するための情報であればよい。
付帯情報表示部ｄ１２４には、ＤＩＣＯＭ画像の付帯情報の内容が表示される。ＤＩＣＯＭ画像の付帯情報には、例えば患者の氏名等を含む患者情報、検査日時等を含む検査情報、読影医の氏名や作成日等を含む読影レポート情報がある。
【００３９】
なお、本実施形態では、図５に示すように、画像表示部ｄ１２１及び付帯情報表示部ｄ１２４には、予め所定の処理済画像及びその付帯情報が表示されている。しかし、画像サーバ１０が電子カルテ端末４０に処理済画像を送信するまでは（図４のステップＳ８参照）、画像表示部ｄ１２１及び付帯情報表示部ｄ１２４はブランク表示であるとしてもよい。
【００４０】
ここで、上述した画像処理条件入力ツールｄ１２３について、更に説明する。
画像処理条件入力ツールｄ１２３には、線画や文字を合成指示するための描画ツールｄ１、処理済画像の操作を行うための画像ツールｄ２、拡大／縮小ツールｄ３、階調変換処理を行うための階調ツールｄ４、ファイル形式の指定を行うファイル形式選択ツールｄ５等が含まれる。これらの各ツールを操作者が操作することで、制御部４１は、例えば処理済画像に患者ＩＤや検査日、読影レポート等をオーバレイ表示させたり、処理済画像を回転、３Ｄ化、動画化させたり、また、値計測により実サイズの画像処理条件を指定することができる。
【００４１】
このような電子カルテ閲覧画面ｄ１００上の各部の機能により、操作者は、カルテ情報部ｄ１１に表示された患者に関する情報を閲覧するとともに、画像情報部ｄ１２に当該患者の医用画像を表示させて閲覧することができる。また、表示させた医用画像について任意に画像処理を施すよう指示入力することができる。
【００４２】
ここで、画像処理条件入力ツールｄ１２３を入力操作することで行われる画像処理は、画像処理の条件を入力しているだけであって、制御部４１が画像処理ソフト等により画像処理を実際に施しているわけではない。画像表示部ｄ１２１に表示される画像はＤＩＣＯＭ画像を圧縮処理等した処理済画像である。従って、仮にこの処理済画像を画像処理ソフト等で単に拡大処理した場合、輪郭にジャギと呼ばれるギザギザが現れ、また縮小処理すると情報が失われてしまう。このように、処理済画像は拡大、縮小、変形等の画像処理には適さない。
【００４３】
そこで、本実施形態では、処理済画像に対して実際に画像処理を行うのではなく、画像処理の条件だけを入力操作することとしている。実際に画像処理を行うのは、電子カルテ端末４０から画像処理等の指示を受けた画像サーバ１０が行うこととなる。
【００４４】
操作者により画像特定条件及び画像処理条件が入力されると、制御部４１は入力された画像特定条件及び画像処理条件を、例えば「http://ホスト名/サービス名＋画像特定条件＋画像処理条件」等のＵＲＬ形式で構成される要求情報とする（ステップＳ２）。なお、ホスト名には画像サーバ名が、サービス名には医用画像の取得要求が入力された場合には、「http://i-pacs1/images?patientdid=003…」のような構成となる。
このような要求情報とすることで、電子カルテ端末４０は、ＤＩＣＯＭによる通信に限らず汎用の通信システム、例えばＷｅｂ対応の通信プロトコルであるＨＴＴＰにより処理済画像を送受信することができる。
制御部４１は、要求情報を画像サーバ１０へ送信する（ステップＳ３）。
【００４５】
画像サーバ１０は、電子カルテ端末４０から送信された要求情報を受信する（ステップＳ４）。制御部１１は、受信した要求情報の画像特定条件を画像サーバ１０内で使用する検索サービス（ＤＩＣＯＭ）に基づいて保存用メモリ１４内にあるＤＩＣＯＭ画像を特定する（ステップＳ５）。なお、検索サービスはＤＩＣＯＭに限られず、画像サーバ１０内でＤＩＣＯＭ画像を特定することができるサービスであればよい。
また、制御部１１がＤＩＣＯＭ画像を個々的に特定するためには、前提として保存用メモリ１４内に保存されているＤＩＣＯＭ画像の付帯情報にＳＯＰインスタンスＵＩＤが含まれているものとする。ＳＯＰインスタンスＵＩＤは、保存用メモリ１４内にあるＤＩＣＯＭ画像の場所を特定できるユニークな値である。制御部１１はこのＳＯＰインスタンスＵＩＤによりＤＩＣＯＭ画像を特定する。
【００４６】
そして、制御部１１は、特定したＤＩＣＯＭ画像について、画像処理条件に基づいて新たに処理済画像を作成する（ステップＳ６）。処理済画像は、ＤＩＣＯＭ画像と異なり劣化及び圧縮等した分だけデータ量が少ないため、簡易な医用画像の参照に適している。また、この処理済画像の画像データにＤＩＣＯＭ画像の付帯情報を汎用のテキスト情報（例えば、ＨＴＭＬ等）へ変換して付帯させれば、ＤＩＣＯＭ画像と同様に、処理済画像の画像データに関する情報（例えば、患者情報や検査情報等）を把握することができる。
このように、ＤＩＣＯＭ画像を加工することで、電子カルテ端末４０はＤＩＣＯＭ対応の特別な機能を備えなくとも処理済画像を受信及び表示することができる。また、処理済画像に関する情報、例えば患者情報、検査情報、読影レポート等も所定の表示スペースに表示することができる（図５参照）。
制御部１１は、この新たに作成した処理済画像を電子カルテ端末４０へ送信する（ステップＳ７）。
【００４７】
電子カルテ端末４０は、画像サーバ１０から送信された処理済画像を受信する（ステップＳ８）。そして、制御部４１は、受信した処理済画像を画像表示部ｄ１２１へ表示させる（ステップＳ９）。なお、付帯情報は付帯情報表示部ｄ１２４へ表示させる。操作者は、表示された処理済画像とともに電子カルテの情報を閲覧して診察を行うことが可能となる。
表示されている処理済画像に対し、更に画像処理を施す場合には、ステップＳ２以降での処理と同様にして制御部４１は新たな要求情報を画像サーバ１０へ送信することとなる（ステップＳ１０；Ｙｅｓ）。
【００４８】
表示された処理済画像及び付帯情報を電子カルテの情報とともに保存して閲覧を終了する場合には（ステップＳ１０；Ｎｏ）、操作者により保存ボタンｄ１３が押下され、この操作に従い制御部４１は電子カルテの情報（処理済画像含む）を画像サーバ１０へ送信する（ステップＳ１１）。そして、画像サーバ１０は、受信した電子カルテの情報を保存用メモリ１４へ保存することで（ステップＳ１２）、本処理は終了する。
【００４９】
以上のように、本実施形態によれば、電子カルテ端末４０において画像特定条件及び画像処理条件を入力操作可能な構成とする。そして、電子カルテ端末４０は、操作者の入力操作により生成した要求情報を画像サーバ１０へ送信する。一方、要求情報を受け取った画像サーバ１０は、当該要求情報に基づいてＤＩＣＯＭ画像の特定及び画像処理を行い、新たに処理済画像を作成する。電子カルテ端末４０は、画像サーバ１０が作成した処理済画像を受け取り、表示することができる。また、表示した処理済画像を更に画像処理することができる。
【００５０】
これにより、電子カルテ端末４０はＤＩＣＯＭ画像を受信して表示させるための特別な機能を備える必要はなく、また、高度な画像処理機能を備える必要もない。よって、本実施形態のように電子カルテ端末４０が複数存在する場合であっても（図１参照）、コストをかけずに所望の電子カルテシステムを構築することができる。一方、画像サーバ１０は、電子カルテ端末４０の要求があったときに限って必要な処理済画像を作成すればよいため、不要な処理済画像を作成して長期間保存しておくことを要しない。よって、記憶容量の有効利用を図ることができる。
また、医師は電子カルテ端末４０で表示される電子カルテの情報とともに処理済画像を閲覧することができ、更に同一画面上で画像処理を行うことができる。よって、煩雑な作業を必要とせずに患者に対して適切な診察を行うことができる。
【００５１】
なお、本実施形態では、画像サーバ１０が画像特定条件及び画像処理条件に基づいて処理済画像を作成する機能を備えることとしたが、これに限らず、画像処理条件に基づいて処理済画像を作成する機能を別にして、当該機能を備えるゲートウェイを新たに配置した医用画像システムとしてもよい。
【００５２】
この医用画像システムでは、図示しないゲートウェイを電子カルテ端末４０と画像サーバ１０との間に配置する（図１参照）。電子カルテ端末４０が画像サーバ１０へ要求情報を送信すると、画像サーバ１０は要求情報のうち、画像処理条件に基づいてＤＩＣＯＭ画像を特定する。そして、画像サーバ１０は、要求情報と特定したＤＩＣＯＭ画像をゲートウェイへ送信する。ゲートウェイは、要求情報のうち、画像処理条件に基づき受信したＤＩＣＯＭ画像を画像処理して処理済画像を作成する。そして、これを電子カルテ端末４０へ送信する。
【００５３】
このような医用画像システムとすることで、画像サーバ１０は処理済画像を作成する必要がなく、画像サーバ１０の処理負担を軽減することができる。また、それに伴い、システム全体として処理効率の向上を図ることができる。
【図面の簡単な説明】
【００５４】
【図１】本実施形態における電子カルテシステムの全体構成を示す図である。
【図２】図１の画像サーバの内部構成を示す図である。
【図３】図１の電子カルテ端末の構成を示す図である。
【図４】医用画像システムにおける処理の流れを説明するフローチャートである。
【図５】電子カルテの閲覧画面例を示す図である。
【図６】従来の医用画像システムにおいて取り扱うデータ形式について説明する図である。
【符号の説明】
【００５５】
１  電子カルテシステム
１０  画像サーバ
１１  制御部
１４  保存用メモリ
２０  読影端末
３０  モダリティ
４０  電子カルテ端末
４１  制御部
４２  入力部
４３  表示部
４６  参照用メモリ
【図１】
2008269241.tif 000003
【図２】
2008269241.tif 000004
【図３】
2008269241.tif 000005
【図４】
2008269241.tif 000006
【図５】
2008269241.tif 000007
【図６】
2008269241.tif 000008